(57)【特許請求の範囲】
【請求項１】
水栓本体と、該水栓本体を壁に固定する水側及び湯側の一対のクランク脚と、該水栓本体を覆うカバーと、を備えたクランク脚付きのカバー付き水栓であって、
前記カバーは、前記一対のクランク脚ごと前記水栓本体を覆う本体カバーと、該本体カバーの壁側の端と該壁との間に生ずる隙間を隠蔽する隙間カバーとを有していて、該隙間カバーが、前記クランク脚及び該クランク脚を介して前記壁に固定される前記水栓本体及び前記本体カバーを含んで構成される水栓主体に設けたスライド保持部により、該本体カバーの内側に、前記壁に向けて前後方向にスライド可能に保持させてあることを特徴とするカバー付き水栓。
【請求項２】
請求項１において、前記隙間カバーが、前記隙間を隠蔽する状態に位置調節された状態で前記水栓主体に固定されるものとなしてあり、該隙間カバーには、前記本体カバーの、前記水栓本体及びクランク脚を上側から覆う上面カバー部側の位置に被固定部が設けてあり、該被固定部において該隙間カバーが前記水栓主体に設けた固定部に固定されるものとなしてあることを特徴とするカバー付き水栓。
【請求項３】
請求項１，２の何れかにおいて、前記本体カバーには、前記一対のクランク脚ごと前記水栓本体を側方から覆う、前記壁に対する正面視において左右一対の側面カバー部が備えてあり、該側面カバー部のそれぞれの内面には係合部が、また前記隙間カバーには該係合部に対応する位置に、該係合部に対して前記左右方向に係合する被係合部が設けてあり、それら係合部と被係合部との係合により前記一対の側面カバー部が前記左右方向に拘束されていることを特徴とするカバー付き水栓。
【請求項４】
請求項１〜３の何れかにおいて、前記隙間カバーには、前記壁に沿った方向に延びる被押圧部が設けてあるとともに、前記本体カバーには、前記水栓本体及びクランク脚を下側から覆う下面カバー部に、前記被押圧部を前記壁に向けて押圧操作可能とする開口部が設けてあることを特徴とするカバー付き水栓。
【請求項５】
請求項１〜４の何れかにおいて、前記隙間カバーと前記水栓主体との一方には、該隙間カバーを抜け防止する爪が、他方には該爪を前記抜け方向に掛止させる掛止部が設けてあることを特徴とするカバー付き水栓。
【発明の詳細な説明】
【技術分野】
【０００１】
この発明はクランク脚付きのカバー付き水栓に関する。
【背景技術】
【０００２】
クランク脚付きの壁付きの混合水栓として、従来、水栓本体の本体ボデーを金属の鋳物製とし、その内部に弁部その他の水栓機構部を内蔵させた形態のものが広く用いられている。
この種の水栓では、壁裏の元配管に接続状態に壁に取り付けた水側及び湯側の一対のクランク脚によって水栓本体を支持することができる。
また水側及び湯側の左右一対のクランク脚を壁面と平行方向に回転させてその回転角度を調整し、また一対のクランク脚の元配管へのねじ込み量をそれぞれ調節することで、水栓本体を水平姿勢に姿勢調節したり、水栓本体と壁との間隔を左右（使用者から見た正面視において左右）均等にしたり、或いは水栓本体の、左右一対のクランク脚との接続部間の間隔と、壁側の水及び湯の元配管の接続部間の間隔のずれを吸収したりすることができる。
【０００３】
ところで従来の水栓の場合、金属製の鋳物製の本体ボデーがそのまま水栓の外観を成しており、そこで水栓の意匠性を高めるべく、従来にあっては一般に本体ボデー外面にメッキを施して外面を美麗に仕上げることを行っている。
【０００４】
しかしながらこの場合、良好な外観を実現するために本体ボデーに余剰の肉を付けて外面をフラットとし、研磨処理を施した上でメッキ処理することとなるため、本体ボデーが必然的に重くなって施工作業がしづらくなり、また鋳物材料の使用量も多くなるとともに、研磨及びメッキ処理の工程が必要となってコストも高くなってしまう。
【０００５】
また使用者が本体ボデーに触れたときの火傷防止などのために、本体ボデーにウォータージャケット構造を設けて、そこに水を巡らすようにしており、そのウォータージャケット構造のために本体ボデーの構造が複雑化し、また重量も重くなってしまう。
【０００６】
水栓本体をカバーで覆って成るカバー付き水栓では、こうした問題を解決することができる。
具体的にはカバー付き水栓の場合、カバーが水栓の外観を成すために水栓の本体ボデーに余剰の肉を付けてその外面を凹凸の無いフラットな形に形成したりしなくても良く、重量を軽量化することができる。
またカバーによって、使用者が直接本体ボデーに触れるのを防ぐことが可能となり、従来本体ボデーに設けていたウォータージャケット構造を省くことも可能となる。
更にカバー付き水栓にあっては、カバーの種類を変えることで様々な外観を水栓に与えることが可能となる。
【０００７】
ところでクランク脚によって水栓本体を壁に取り付ける形式の従来のクランク脚付きのカバー付き水栓にあっては、カバーにより主として水栓本体だけを覆い、クランク脚を露出させたままとしている。
例えば下記特許文献１，特許文献２にこの種のクランク脚付きのカバー付き水栓が開示されている。
【０００８】
このようにクランク脚を露出させる形式の従来のカバー付き水栓では、工場生産段階で予め水栓本体にカバーを取り付けておき、そのカバー付きの水栓本体を施工現場でクランク脚にて壁に取付施工することができ、施工が容易であるといった利点がある。
【０００９】
しかしながら一方で、このようなカバー付き水栓の場合、水栓設置状態でクランク脚が外部に露出して水栓の外観の一部をなすため、従来のカバー無しの水栓と同様に、クランク脚にメッキ処理を施して外観を美麗に仕上げておかなければならず、そのための処理にコストが多くかかってしまう。
【００１０】
またその他に、水栓設置状態でクランク脚が外部に露出していると、クランク脚は複雑な屈曲形状をしているために水栓の外観が煩雑化してしまう他、クランク脚が汚れの付き易い個所となり、しかもクランク脚は上記のように複雑な屈曲形状をしているために掃除がしにくく、汚れが付いたままとなり勝ちで、そのことが水栓の外観を悪化させる。
【００１１】
そこでこのような水側及び湯側の一対のクランク脚を水栓本体とともに内側に隠すように、カバーにてそれらを外側から覆っておくといったことが考えられる。
但しこの場合、カバーの壁側の端と壁との間に、クランク脚の壁へのねじ込み量のばらつき等の施工上の誤差により隙間が生じ、その隙間が水栓の美観を損なう要因となる。
【００１２】
下記特許文献３には、カバー付きの水栓が示され、そこにおいて水栓カバー（３０）の壁側の端と壁との間に生じる隙間を、端部カバー（５０）にて隠蔽するようになした点が開示されている。
但しこの特許文献３に開示のものは、水栓カバー（３０）の外面の外側に端部カバーを位置させて隙間を隠蔽するものであり、この場合、端部カバーの、水栓カバー（３０）の外側に位置している部分が段付形状となって外側に現れてしまい、その段違い部分が外観上目立つ部分となって水栓の美観を損なってしまい、また水栓の品位を低下させてしまう。
【００１３】
またこの特許文献３に開示のものは、一対のクランク脚の回転角度の調整や、壁裏の元配管へのねじ込み量を調節することで水栓本体を水平姿勢に姿勢調節したり、水栓本体と壁との間隔を左右均等にしたり、水栓本体における左右一対のクランク脚との接続部間の間隔と、壁側の水及び湯の元配管の接続部間の間隔のずれを吸収したりするものではなく、また構造上クランク脚の元配管へのねじ込み量のばらつきによって、水栓カバー（３０）と壁との間の隙間の大小が異なってしまうといった問題を生じるものでもない。
更にこの特許文献３に開示のものは、水栓カバー（３０）付きの状態で水栓本体を壁に固定するものであり、これらの点で本発明とは異なる。
【先行技術文献】
【特許文献】
【００１４】
【特許文献１】特開２０１１−２１９９５９号公報
【特許文献２】特開昭６１−１８３５２７号公報
【特許文献３】特開２００１−２０７４９５号公報
【発明の概要】
【発明が解決しようとする課題】
【００１５】
本発明は以上のような事情を背景とし、水栓設置に際して施工上生じるカバーと壁との間の隙間に起因して水栓の美観が悪化する問題を解決し得て、壁への設置状態で水栓の美観を良好となし得るクランク脚付きのカバー付き水栓を提供することを目的としてなされたものである。
【課題を解決するための手段】
【００１６】
而して請求項１のものは、水栓本体と、該水栓本体を壁に固定する水側及び湯側の一対のクランク脚と、該水栓本体を覆うカバーと、を備えたクランク脚付きのカバー付き水栓であって、前記カバーは、前記一対のクランク脚ごと前記水栓本体を覆う本体カバーと、該本体カバーの壁側の端と該壁との間に生ずる隙間を隠蔽する隙間カバーとを有していて、該隙間カバーが、前記クランク脚及び該クランク脚を介して前記壁に固定される前記水栓本体及び前記本体カバーを含んで構成される水栓主体に設けたスライド保持部により、該本体カバーの内側に、前記壁に向けて前後方向にスライド可能に保持させてあることを特徴とする。
【００１７】
請求項２のものは、請求項１において、前記隙間カバーが、前記隙間を隠蔽する状態に位置調節された状態で前記水栓主体に固定されるものとなしてあり、該隙間カバーには、前記本体カバーの、前記水栓本体及びクランク脚を上側から覆う上面カバー部側の位置に被固定部が設けてあり、該被固定部において該隙間カバーが前記水栓主体に設けた固定部に固定されるものとなしてあることを特徴とする。
【００１８】
請求項３のものは、請求項１，２の何れかにおいて、前記本体カバーには、前記一対のクランク脚ごと前記水栓本体を側方から覆う、前記壁に対する正面視において左右一対の側面カバー部が備えてあり、該側面カバー部のそれぞれの内面には係合部が、また前記隙間カバーには該係合部に対応する位置に、該係合部に対して前記左右方向に係合する被係合部が設けてあり、それら係合部と被係合部との係合により前記一対の側面カバー部が前記左右方向に拘束されていることを特徴とする。
【００１９】
請求項４のものは、請求項１〜３の何れかにおいて、前記隙間カバーには、前記壁に沿った方向に延びる被押圧部が設けてあるとともに、前記本体カバーには、前記水栓本体及びクランク脚を下側から覆う下面カバー部に、前記被押圧部を前記壁に向けて押圧操作可能とする開口部が設けてあることを特徴とする。
【００２０】
請求項５のものは、請求項１〜４の何れかにおいて、前記隙間カバーと前記水栓主体との一方には、該隙間カバーを抜け防止する爪が、他方には該爪を前記抜け方向に掛止させる掛止部が設けてあることを特徴とする。
【発明の作用・効果】
【００２１】
以上のように本発明のクランク脚付きのカバー付き水栓は、一対のクランク脚ごと水栓本体を覆う本体カバーと、本体カバーの壁側の端と壁との間に生ずる隙間を隠蔽する隙間カバーとを有するものとなし、そしてその隙間カバーを、本体カバーの内側にスライド可能に保持させたもので、本発明のカバー付き水栓では、クランク脚をカバーの内側に隠すことができるため、クランク脚へのメッキ処理を省くことが可能となる。
またクランク脚に汚れが付き易かったり、またその汚れの掃除がしにくいことでクランク脚に汚れが付いたままとなり易く、そのことが水栓の美観を悪化させる問題を解決でき、クランク脚付きの水栓の美観を高めることができる。
また湯側のクランク脚をカバーの内側に覆っておくことができるため、使用者が意図しない動きで湯側のクランク脚に触れてしまって熱い思いをしたり、場合によって火傷をしてしまう恐れも無くすことができる。
【００２２】
また本発明のカバー付き水栓では、水栓設置時において本体カバーと壁との間に隙間が生じたとき、隙間カバーを壁側にスライド移動させて壁に当接させることで、本体カバーと壁との間の隙間を隠蔽することができる。
【００２３】
しかも本発明のカバー付き水栓では、その隙間カバーが本体カバーの内側に保持させてあるため、詳しくはクランク脚及びクランク脚を介して壁に固定される水栓本体及び本体カバーを含んで構成される水栓主体に設けたスライド保持部により、本体カバーの内側に前後方向（壁に向って前後方向）にスライド可能に保持させてあるため、本体カバーの壁側の端部を外面側から隙間カバーにて覆い隙間を隠蔽する場合のように、隙間カバーが本体カバーの外面に対して段違い形状で突出し、隙間カバーの端面が外部に現れてしまったり、或いは本体カバーと隙間カバーとの継目が目立ったものとなって水栓の美観を悪くしてしまうといった問題を生じないようにでき、水栓を良好な美観で壁に設置施工することができる。また設置状態において水栓の品位を高めることができる。
ここで水栓主体は、水栓本体に固定された金属製等の剛性のブラケットを含んで構成しておくことができる。
【００２４】
本発明では、隙間カバーを上記水栓主体に固定するものとなして、その隙間カバーに、本体カバーの上面カバー部側の位置に被固定部を設け、その被固定部において隙間カバーを水栓主体の固定部に固定するようになしておくことができる（請求項２）。
【００２５】
本体カバーの内側でスライド可能となした隙間カバーを、本体カバーと壁との間の隙間を隠蔽した後に水栓主体に固定する場合、施工時に隙間カバーがその固定部を支点として本体カバーに対し相対的に回転したとき、その固定個所が上面カバー部から下方に大きく離れた位置であると、そこを支点とした隙間カバー上面部の回転角度が大きくなる。
そうすると本体カバーの上面カバー部に対して、隙間カバーの上面が相対的に大きく傾いてしまい、また隙間カバーが大きく傾くことで隙間カバーと壁との間に隙間を生ぜしめてしまい、そのことが水栓の美観を悪化させる要因となる。
【００２６】
しかるに隙間カバーを上面カバー部側の位置で本体カバーに固定しておけば、回転の支点となる隙間カバーの固定個所が上面カバー部に近い位置となるため、隙間カバーが本体カバーに対し相対的に回転したとき、本体カバーの上面カバー部に対する隙間カバーの上面の傾きを小さく抑制することができ、また隙間カバーと壁との間に隙間が生じるのを防ぐことができ、或いは隙間を可及的に小さくすることができ、水栓設置状態の美観を良好に保持することができる。
ここで上面カバー部側の位置とは、本体カバーの全高に対して半分より上側の位置を意味するが、出来得る限り上面カバー部に近い位置であることが望ましい。
【００２７】
次に請求項３は、本体カバーに左右一対の側面カバー部を備えて、それら一対の側面カバー部のそれぞれの内面に係合部を設け、また隙間カバーには対応する位置に被係合部を設けて、それら係合部と被係合部との係合により、一対の側面カバー部を左右方向に拘束するようになしたものである。
例えば本体カバーを樹脂の成形品となした場合、成形の際に一対の側面カバー部が開く方向に成形品、即ち本体カバーが反り変形してしまうことがある。
本体カバーがそのような反り変形を生じていると施工の仕上り状態が悪化し、水栓の美観が低下する。
【００２８】
しかるに請求項３によれば、本体カバーの側面カバー部に設けた係合部と、隙間カバーの被係合部との係合により一対の側面カバー部を左右方向に拘束するため、一対の側面カバー部が開く方向に本体カバーが反り変形するのを抑制でき、成形時の条件の如何に拘らず本体カバーを良好な形状に保持することができる。
そしてこれにより水栓設置状態の美観を良好に保持することができる。
【００２９】
請求項４は、隙間カバーに、壁に沿った方向に延びる被押圧部を設けるとともに、本体カバーには、その下面カバー部に開口部を設けたもので、この請求項４によれば、クランク脚を壁に取り付け、またそのクランク脚に水栓本体を接続して固定し、その後に本体カバーを取り付けた後において、その本体カバーの開口部から指などを挿入して被押圧部を壁に向けて押圧し、スライド可能とされている隙間カバーを壁に押し当てるようになすことができる。
即ち壁に対して隙間カバーを押し当てる作業を容易に行うことができ、作業が行い難いことによって隙間カバーと壁との間に隙間が生じてしまったり、或いはその隙間がばらついてしまったりするのを防ぐことができる。
特にそのような壁への当接状態で隙間カバーを水栓主体に固定する場合、片方の手（指）で開口部を通じ被押圧部を押して隙間カバーを壁に押し当てた状態で、もう片方の手で固定作業を行う際の作業がし易くなり、固定作業中に隙間カバーが壁から部分的に離れてしまって、壁との間に隙間を生じてしまった状態で隙間カバーを固定してしまうといったことを防ぐことができる。
【００３０】
次に請求項５は、隙間カバーと水栓主体との一方に、隙間カバーを抜け防止する爪を、他方に爪をその抜け方向に掛止させる掛止部を設けたもので、この請求項５によれば、設置現場でカバー付き水栓を壁に設置施工する際、本体カバーの内側にスライド可能に保持させた隙間カバーが脱落してしまい、作業が行いづらかったり、或いはその脱落によって隙間カバーが傷付いてしまったりするのを防ぐことができ、施工の作業性を良くすることができるとともに、脱落による隙間カバーの傷付きを防ぐことができる。
【図面の簡単な説明】
【００３１】
【図１】本発明の一実施形態のクランク脚付きのカバー付き水栓の外観斜視図である。
【図２】図１とは異なる方向で示したカバー付き水栓の外観斜視図である。
【図３】図１のカバー付き水栓の底面図である。
【図４】図１，図２とは異なる方向で示したカバー付き水栓の外観斜視図である。
【図５】図１のカバー付き水栓を、カバーを除いた状態で示した図である。
【図６】図１のカバー付き水栓における本体ボデーにクランク脚を接続した状態を示した図である。
【図７】図１のカバー付き水栓のカバーを分解して水栓本体とともに示した図である。
【図８】図１のカバー付き水栓における上カバーを示した図である。
【図９】図１のカバー付き水栓における下カバーを示した図である。
【図１０】図１のカバー付き水栓における隙間カバーを示した図である。
【図１１】図１の上カバーと隙間カバーとを組付状態で示した図である。
【図１２】図１のカバー付き水栓の施工手順の説明図である。
【図１３】図１２に続く施工手順の説明図である。
【図１４】図１３に続く施工手順の説明図である。
【図１５】図１のカバー付き水栓における隙間カバーの作用説明図である。
【図１６】本発明の他の実施形態のクランク脚付きのカバー付き水栓の外観斜視図である。
【図１７】図１６のカバー付き水栓を、本体カバーを除いた状態で示した図である。
【図１８】図１６のカバー付き水栓を、クランク脚を除いた状態で底面側から示した図である。
【図１９】図１６のカバー付き水栓のブラケット及び隙間カバーを示した図である。
【図２０】図１６のカバー付き水栓におけるカバーの固定構造を示した図である。
【発明を実施するための形態】
【００３２】
次に本発明の実施形態を図面に基づいて詳しく説明する。
図１〜図４において、１０はクランク脚を備えた壁付きのカバー付き水栓（混合水栓）（以下単に水栓とすることがある）で、図７に示しているようにハウジングをなす本体ボデー１２の内部に温調弁ユニット，切替弁ユニットその他の水栓機構部を内蔵した水栓本体１４と、壁Ｗ（図５参照）裏に配管された給水用の元配管，給湯用の元配管からの水，湯をそれぞれ水栓本体１４に供給する給水用の配管，給湯用の配管を兼ねた水側のクランク脚１６，湯側のクランク脚１８と、それらを囲い込むカバー（ここでは樹脂製）２０を含んで構成されている。
ここで本体ボデー１２は金属の鋳物から成っている。但し外面の研磨及びメッキ処理は施されておらず、外面は鋳肌そのままとなっている。
【００３３】
この実施形態において、カバー２０は、図７に示しているように水栓本体１４に下向きに被せられて、水側及び湯側の一対のクランク脚１６，１８ごと水栓本体１４を上側から覆う上カバー４２と、一対のクランク脚１６，１８ごと水栓本体１４を下側から覆う蓋カバーとしての下カバー４４とから成る本体カバー２１と、本体カバー２１詳しくは上カバー４２の壁Ｗ側の端と壁Ｗとの間の隙間を隠蔽する隙間カバー４６とを有している。
【００３４】
水栓本体１４は、一対のクランク脚１６，１８にて壁Ｗに固定され、また上カバー４２と下カバー４４とから成る本体カバー２１は、水栓本体１４に固定されるようになっており、この実施形態では、それら一対のクランク脚１６，１８と、水栓本体１４と、上カバー４２及び下カバー４４から成る本体カバー２１とで水栓主体１５が構成されている。
【００３５】
クランク脚１６，１８は、図６，図７及び図４，図５に示しているように壁Ｗ裏の元配管にシール状態にねじ接続されて、壁Ｗから水平方向に突き出す雄ねじ管から成る管体２２と、これから壁面と平行方向に直角に折れ曲った管体２４とを有しており、その管体２４の先端部に袋ナット２６が設けられている。
ここで水側のクランク脚１６及び湯側のクランク脚１８における一対の管体２４は、正面視においてハ字状をなしている。
そしてこの袋ナット２６により管体２４の先端部が水栓本体１４、詳しくは本体ボデー１２に備えられた、外周面に雄ねじを有する水側，湯側の接続口２８にねじ接続されている。
ここで袋ナット２６及び接続口２８は、それぞれその軸線が壁Ｗ（厳密にはその壁面）と直交する方向を向いている。
【００３６】
即ちこの実施形態において、水栓本体１４は、壁Ｗに水側及び湯側の一対のクランク脚１６，１８を取り付けた後、クランク脚１６，１８に対して接続口２８が袋ナット２６にて接続されることで、それらクランク脚１６，１８を介して壁Ｗに固定される。
その際、クランク脚１６，１８の壁Ｗと平行方向の回転角度や壁Ｗへのねじ込み量の調整によって、水栓本体１４が正しく水平姿勢で壁Ｗに取り付けられる。
また左右一対のクランク脚１６，１８のねじ込み量を調節することで、水栓本体１４と壁Ｗとの間隔が左右均等に調整される。
尚図３，図６において、３０は壁Ｗ裏の元配管とクランク脚１６の管体２２との接続部を覆って隠蔽する椀座である。
【００３７】
一方、本体ボデー１２の前部からはカラン側の吐水口３２が下向きに突出しており、また図５にも示しているようにその背面からは、シャワー水をシャワーホースを介してシャワーヘッドに吐水するシャワーエルボ３４が下向きに突出している。
尚、カラン側の吐水口３２の先端部には雄ねじ部が設けられていて、そこにキャップ３５（図２参照）が螺着されている。
本体ボデー１２にはまた、左右方向（使用者からの正面視における左右方向）の中央部の前面に、その前面から前方に部分的に突出するブロック状の被係合部３６が一体に設けられている。
この被係合部３６には、その下面で開口する雌ねじ穴３７が上下向きに設けられている。
【００３８】
この本体ボデー１２を含む水栓本体１４の左端側（使用者からの正面視において左端側）には温調ハンドル３８が、また右端側には切替ハンドル４０がそれぞれ回転操作可能に取り付けられており、これら温調ハンドル３８，切替ハンドル４０が、図１及び図２に示すようにカバー２０から左右方向に突出せしめられている。
ここで温調ハンドル３８は、回転操作によって吐水の温度調節を行う。また切替ハンドル４０は、回転操作によってカラン側の吐水口３２からの吐水と、シャワーエルボ３４からの吐水との切替えを行うとともに、カラン側の吐水口３２及びシャワーエルボ３４からの吐水の流量調節と吐止水とを行う。
【００３９】
上記の上カバー４２は、図８にも示しているように略水平方向に平坦な板状の上面カバー部４８と、上面カバー部４８の前端から下向きに折れ曲った板状の前面カバー部５０と、上面カバー部４８の左右（壁Ｗに対する正面視における左右）の各一端から下向きに立ち下がった一対の板状の側面カバー部５２とを有する、下面が開放された箱型形状とされており、その上面カバー部４８によって、水側及び湯側の一対のクランク脚１６，１８ごと水栓本体１４を上側から覆い、また前面カバー部５０によって水栓本体１４を前側から覆い、更に一対の側面カバー部５２によって、一対のクランク脚１６，１８ごと水栓本体１４を側方から覆っている。
ここで一対の側面カバー部５２には、温調ハンドル３８と切替ハンドル４０とを突出させるための逆Ｕ字状の切欠部５４が設けられている。
【００４０】
一対の側面カバー部５２のそれぞれには、図８に示しているようにその内面側の、上面カバー部４８に近い上部の位置に４角筒状の筒形状部８４が設けてある。
各筒形状部８４は、上壁部と下壁部及び一対の側壁部とを有しており、その上壁部が、上面カバー部４８との間に隙間を形成し、その隙間に後述の隙間カバー４６の板状のスライド部８６（図１０及び図１１参照）を挿入させて、これを前後方向にスライド可能に保持するスライド保持部１５０を構成している。
【００４１】
また下壁部が、図１０及び図１１に示す隙間カバー４６の後述の板状の被固定部１５４を固定する固定部１５２を構成している。
更に一対の側面カバー部５２のそれぞれの内面からは、板状の突出片１５６が突き出している。
各突出片１５６の下部は、側面カバー部５２の内面との間にスリット状の隙間を形成する係合片（係合部）１５８とされている。
【００４２】
係合片１５８は、側面カバー部５２の内面との間のスリット状の隙間に、図１０及び図１１に示す隙間カバー４６の後述の板状の被係合部１６０を前後方向に移動可能に挿入させて、かかる被係合部１６０に対し左右方向に係合し、被係合部１６０と協働して一対の側面カバー部５２を左右方向に拘束する働きをなす。
【００４３】
前面カバー部５０は、図７，図８及び図１，図２に示すように上部５６と下部５８とを有している。
上部５６は、下方に進むにつれて前方に迫り出す湾曲形状とされており、また下部５８は、下方に進むにつれて水栓本体１４側に後向きに移行する傾斜形状とされている。
図１２に示しているようにこの傾斜形状の下部５８は、その下端が水栓本体１４、詳しくは本体ボデー１２の下端に近い位置まで下向きに延び出している。
【００４４】
一方下カバー４４は、図７及び図９に示すように略水平方向に延びる平坦な板状の下面カバー部６０を有しており、一対のクランク脚１６，１８ごと水栓本体１４を下側から覆っている。
尚下カバー４４は、その前端部が斜め上向きに湾曲して延びており、その湾曲部６２が上カバー４２の前面カバー部５０、詳しくはその下部５８の下端に繋がっている。
下カバー４４はまた、水栓本体１２の前部の側面の一部を覆う左右一対の起立部６４を有している。
【００４５】
これら一対の起立部６４には、温調ハンドル３８，切替ハンドル４０を突出させるための円弧状の切欠部６６が設けられている。
尚この下カバー４４の下面カバー部６０には、図９にも示しているように水栓本体１４の上記のカラン側の吐水口３２を下向きに突出させるための円形且つ貫通の開口部６８と、シャワーエルボ３４を下向きに突出させるための左右に長円形状をなす貫通の開口部７０とが左右方向の中央部に設けられている。
【００４６】
この下カバー４４の下面カバー部６０は、一対のクランク脚１６，１８における管体２２の上部の高さ位置で、水栓本体１４を下側から覆う主部６０Ａと、一対のクランク脚１６，１８を下側から覆う脚カバー部６０Ｂとを有している。
脚カバー部６０Ｂは、図２に示しているように下向きに湾曲して突出した逆ブリッジ状をなしており、管体２２に組み込まれた止水栓の回転式の操作部７２、及びストレーナを脱着操作するための回転式の操作部７４を操作するための開口部７６をその前端位置に形成している。
ここで開口部７６は、使用者側の前方に向けて開口した正面方向の開口部とされている。
【００４７】
上記隙間カバー４６は、クランク脚１６，１８の壁Ｗへのねじ込み量のばらつきその他の施工上の誤差等によって、本体カバー２１即ち上カバー４２の壁Ｗ側の端と壁Ｗとの間に生じる隙間を閉鎖し隠蔽する働きを有するもので、図７及び図１０に示しているように板状をなす平坦な上面閉鎖部７８と、上面閉鎖部７８の左，右端から立ち下る一対の板状の側面閉鎖部８０と、上面閉鎖部７８の壁Ｗ側の後端から立ち下り、それら一対の側面閉鎖部８０及び上面閉鎖部７８を連結する板状の連結部１６２とを有している。
ここで上面閉鎖部７８の上面は上向きの突出し部を有しないフラットな面とされている。
【００４８】
この実施形態において、隙間カバー４６は、本体カバー２１詳しくは上カバー４２の内側に前後方向（壁Ｗに向っての前後方向）にスライド可能に保持されている（後述の固定部１５２での固定がされていない状態で）。
具体的には、隙間カバー４６は、上面閉鎖部７８の左右両端部において前方に延出する板状のスライド部８６を有していて、このスライド部８６が、上カバー２１の上記のスライド保持部１５０と上面カバー部４８との間の隙間に挿入され、かかるスライド部８６において隙間カバー４６が上カバー４２のスライド保持部１５０により前後方向にスライド可能に保持されている。
【００４９】
隙間カバー４６は、また、これらスライド部８６の下側でスライド部８６に対向して延びる板状の被固定部１５４を有している。これら被固定部１５４は、スライド部８６から垂下する板状の支持部１６６にて支持されている。
この被固定部１５４には、前後方向に延び且つ前端で開口する長穴状の挿通部８８が設けられている。
隙間カバー４６は、この被固定部１５４において上カバー４２に固定される。
【００５０】
詳しくは、図１１に示しているようにボルト９０を被固定部１５４の挿通部８８に挿通し、更に上カバー４２における固定部１５２の挿通孔９４に上向きに挿通し、そして筒形状部８４の内部でナット９２にねじ込むことで、被固定部１５４が固定部１５２に固定される。
即ち隙間カバー４６が、被固定部１５４において固定部１５２により上カバー４２に固定される。
【００５１】
この実施形態において、隙間カバー４６の被固定部１５４は上カバー４２の上面カバー部４８側の位置に設けてあり、上面カバー部４８に近い上側位置で隙間カバー４６が上カバー４２に固定される。
ここで上面カバー部４８側とは、上面カバー部４８からの距離が本体カバー２１全高さの１／２以下の範囲内であることを意味する。
尚このとき、下カバー４４もまた上カバー４２，隙間カバー４６とともに同時に固定される。
【００５２】
詳しくは、図７及び図９に示しているように下カバー４４からは下端が開口し、上端に底部を有する有底の円筒状の固定部９６が立ち上がっており、上記ボルト９０は、図１１に示すようにこの円筒状の固定部９６の下端の開口からその内部に挿入された上、上端の底部に設けた挿通孔９８，上記の挿通部８８，挿通孔９４に挿通された上、ナット９２にねじ込まれ、これにより隙間カバー４６が上カバー４２と下カバー４４とに対して同時に固定される。
【００５３】
一対の上記支持部１６６からは弾性片１６８が前方に延び出しており、各先端部に爪１７０が左右方向に互いに逆向きに、即ち上カバー４２の側面カバー部５２に向けて設けられている。
ここで爪１７０には傾斜形状のカム面１７２が設けられている。
これら爪１７０は、上カバー４２の上記の筒形状部８４の一方の側壁部を掛止部１７４としてそこに掛止し、水栓１０の施工時等において隙間カバー４６の上カバー４２からの抜けを防止する。
【００５４】
尚、隙間カバー４６を上カバー４２に対して後方から内側に挿入し、隙間カバー４６を上カバー４２に組み付ける際、爪１７０はカム面１７２を筒形状部８４の掛止部１７４に接触させ、そのカム作用で弾性片１６８を弾性変形させつつ掛止部１７４を乗り越える。そして乗り越えたところで弾性片１６８が変形解除されることで掛止部１７４に掛止可能状態となる。
【００５５】
隙間カバー４６はまた、一対の側面カバー部５２の下端部から前方に延びる板状の被係合部１６０を有している。
これら被係合部１６０は、上カバー４２の上記の係合片１５８と側面カバー部５２との間に形成されるスリット状の隙間に挿入されて係合片１５８に係合される。
そして係合片１５８と被係合部１６０との係合により一対の側面カバー部５２が左右方向に拘束される。
【００５６】
この実施形態では、隙間カバー４６を本体カバー２１即ち上カバー４２の内側に前後方向にスライド可能に保持した状態で、壁Ｗに取り付けられた一対のクランク脚１６，１８に水栓本体１４を接続固定し、更にその水栓本体１４に対して本体カバー２１を取り付けた後において、隙間カバー４６を壁Ｗ側にスライド移動させ、壁Ｗに当てることで、上カバー４２と壁Ｗとの間の隙間を隙間カバー４６にて閉鎖し、隠蔽する。
その際、隙間カバー４６を壁Ｗに向けて押圧操作し、壁Ｗ側に移動させるための被押圧部１７６が隙間カバー４６に設けられている。
【００５７】
詳しくは、隙間カバー４６の左右両端位置に、側面閉鎖部８０から左右方向外方に壁Ｗに沿って平行に突出するリブ状の被押圧部１７６が設けられ、また左右方向の中央部において上記の連結部１６２から壁Ｗと平行方向に垂直に立ち下る板状の被押圧部１７８が隙間カバー４６に設けられている。
【００５８】
上カバー４２の内側にスライド可能に保持された隙間カバー４６は、左右方向中央部の幅広の板状の被押圧部１７８を壁Ｗに向けて後向きに押圧することで、或いは左右両端の一対のリブ状の被押圧部１７６を後方に押圧することで、壁Ｗに向ってスライド移動させ、壁Ｗに当接させることができる。
【００５９】
この実施形態では、左右一対のリブ状の被押圧部１７６、及び場合によって連結部１６２もまた被押圧部と成り得るものであるが、隙間カバー４６を後方に押す際の主たる操作部は左右方向中央の被押圧部１７８となる。
左右方向中央の被押圧部１７８を押圧操作することで、隙間カバー４６を左右バランス良く全体的に後方移動させることができる。
その際、この実施形態では下カバー４４に設けた長穴状の貫通の開口部７０を、その押圧作業用の開口部として利用することができる。
【００６０】
この開口部７０は、シャワーエルボ３４を下向きに露出させるための開口部であるが、この開口部７０は、シャワーエルボ３４を左右方向に回転可能とするために左右方向の長穴形状とされており、そこでこの開口部７０から手（指）を下カバー４４内部に挿入し、隙間カバー４６の被押圧部１７８を押圧操作することで、隙間カバー４６を左右バランス良く均等に壁Ｗに向って押動することができる。
【００６１】
尚この被押圧部１７８の下端及び上記一対の側面閉鎖部８０の下端からは、水平方向直角に突き出した曲げ部１８０，１８２が設けられている。
これら曲げ部１８０，１８２は、隙間カバー４６のスライド移動時に、下カバー４４の下面カバー部６０の内面上を前後方向に移動せしめられる。
【００６２】
図８に示しているように、上カバー４２には、左右方向の略中央部において前面カバー部５０から、詳しくはその下部５８から後方に突出する板状の係合部１００が設けられている。
係合部１００は、水栓本体１４の上記の被係合部３６の直下に位置して、被係合部３６に対し上向きに係合せしめられており、上カバー４２の前部に上向きの力が加わった場合においても、それらの係合作用により、上カバー４２の前部が浮上り防止されている。
この板状の係合部１００は、左右の両端面が３角形状の補強リブ１０４にて前面カバー部５０における下部５８の内面に連結されており、この補強リブ１０４によって係合部１００が強度補強されている。
【００６３】
この実施形態では、係合部１００に貫通の挿通孔１０６が設けられており、図１３及び図１４に示しているようにこの挿通孔１０６を挿通してビス１０８が、水栓本体１４の被係合部３６の開口から内部の雌ねじ穴３７にねじ込まれることで、係合部１００が水栓本体１４の前部に固定されている。
但し係合部１００の主たる働きは水栓本体１４の被係合部３６に上向きに係合して、上カバー４２前部の浮上り防止することにあり、従ってビス１０８による固定は省くことが可能である。
【００６４】
上カバー４２にはまた、上記の係合部１００よりも壁Ｗ側の奥側位置において、図７及び図８に示しているように上面カバー部４８の内面（下面）から立ち下る円筒状の一対の固定部１１２が左右両側位置に設けられている。
一方水栓本体１４、詳しくは本体ボデー１２には、平面視において対応する左，右位置に、詳しくは組付状態で固定部１１２と上下に対向する位置に一対の鍔状の被固定部１１４が一体に設けられている。
これら被固定部１１４には貫通の挿通孔１１６が設けられている。
上カバー４２は、一対の固定部１１２において水栓本体１４の対応する一対の被固定部１１４に固定されている。
【００６５】
詳しくは、図１４に示しているように円筒状の固定部１１２の内部には、円筒状の雌ねじ金具１１８が埋め込まれており、そこにビス１２０が、被固定部１１４の挿通孔１１６を挿通してねじ込まれることで、かかるビス１２０によって固定部１１２と被固定部１１４とがねじ締結され、固定されている。
この実施形態では、下カバー４４もまた、図７及び図９に示す固定部１２２において、水栓本体１４の被固定部１１４に対し、上カバー４２とともに固定されている。
【００６６】
詳しくは、下カバー４４は、上カバー４２の上記の係合部１００を下側から覆う状態に、水栓本体１４に対して下側から上向きに被せられており、この下カバー４４には、その係合部１００よりも奥側の位置、詳しくは組付状態で上カバー４２の固定部１１２及び水栓本体１４の被固定部１１４に対して上下に対向する直下の位置に、円筒状の固定部１２２が設けられている。
【００６７】
この下カバー４４の円筒状の固定部１２２は、その下端が開口し上端に底部１２４（図１４参照）を有する有底円筒状をなしており、図１４に示すようにこの固定部１２２の下端の開口からビス１２０を上向きに挿入し、更に底部１２４の挿通孔１２６及び被固定部１１４の挿通孔１１６を挿通して、上カバー４２の固定部１１２の内部の雌ねじ金具１１８にねじ込むことで、上カバー４２の固定部１１２と下カバー４４の固定部１２２とが、被固定部１１４を上下両側から挟み込む状態に、被固定部１１４に同時に固定されている。
即ち上カバー４２と下カバー４４とが、共通の１つのビス１２０によって水栓本体１４に同時に固定されている。
【００６８】
上カバー４２にはまた、図８に示すように左右両端に近い位置で、上面カバー部４８の内面（下面）から水栓本体１４に向けて下向きに突出する一対の板状のリブ１２８が設けられており、またそれらリブ１２８の内側位置において、上面カバー部４８の内面から下向きに突出する一対の板状のリブ１３０が設けられている。
【００６９】
図１２に示すように、左右方向の両外側の一対のリブ１２８は、図６及び図７に示す水栓本体１４の左右両端部のフランジ部（第２の被係合部）１３２に対して左右方向の両外側から係合し、上カバー４２を水栓本体１４に対して左右方向に位置決めする働きを有している。
尚下カバー４４においても、水栓本体１４の上記のフランジ部１３２に対して左右方向の両外側から係合し、下カバー４４を水栓本体１４に対して左右方向に位置決めするリブ１３８（図７，図９参照）が、下カバー４４の内面から水栓本体１４に向けて上向きに突出する状態に設けられている。
また下カバー４４には、上カバー４２の側面カバー部５２の内面に嵌合して、下カバー４４と上カバー４２との組付けの左右方向位置を規定するリブ１４８が、起立部６４とは段違い形状で設けられている。
【００７０】
上記一対のリブ１２８は、水栓本体１４、詳しくは本体ボデー１２の外周形状に対応した形状で湾曲する湾曲形状のストッパ部１３４を有している。
これらストッパ部１３４は、図１２（Ｂ）に示しているように水栓本体１４における本体ボデー１２の前面に当接して、上カバー４２を水栓本体１４に対して前後方向に位置決めする働きをなす。
これら一対のリブ１２８はまた、ストッパ部１３４の後側で前後方向に延び、水栓本体１４に対して下向きに当接するガイド部１３６を有している。
【００７１】
これらガイド部１３６は、上カバー４２を水栓本体１４に対して上下方向に位置決めする働きを有し、またその当接状態を保ちつつ、ストッパ部１３４が水栓本体１４から前方に離れた位置と、水栓本体１４に後方向きに当接する位置との間で水栓本体１４の上面に対して相対摺動し、上カバー４２を前後方向にスライドガイドするガイド部としての働きを有している。
これらリブ１２８におけるストッパ部１３４，ガイド部１３６の詳細な作用については後述する。
【００７２】
一方、左右方向の内側位置の一対のリブ１３０は、水栓本体１４に対する上カバー４２の取付状態の下で、水栓本体１４の上面、詳しくは図５及び図７に示す水栓本体１４の被当接部１４２の上面との間に、図１３に示す所定の微小な隙間を形成する状態でかかる被当接部１４２に下向きに対向する当接部１４０を有している。
これら当接部１４０は、上カバー４２の上面カバー部４８に対して下向きの力が加わったとき、水栓本体１４の被当接部１４２に当接して、上面カバー部４８の更なる変形を抑制するように働く。
従って、ここでは当接部１４０と被当接部１４２との間の隙間は、上面カバー部４８に下向きの力が加わって変形開始したときに、当接部１４０が被当接部１４２に当ることができるように微小な隙間に設定してある。
【００７３】
上記各一対のリブ１２８，１３０は何れも前後方向に延びる形態で設けられているが、上カバー４２の上面カバー部４８の内面には、左右方向に延びる形態でリブ１４４が設けられている。
更に前後方向に延びるリブ１２８，１３０に続いて、前面カバー部５０に沿って延びるリブ１４６が設けられている。
これら複数のリブ１２８，１３０，１４４，１４６は、樹脂製且つ板状の上カバー４２の各部を補強する働きをなしている。
尚本実施形態のカバー付き水栓では、図１４に示しているように上カバー４２の上面カバー部４８，前面カバー部５０、更に下カバー４４の下面カバー部６０が、水栓本体１４から離隔した状態で水栓本体１４を囲い込んでおり、それら各カバー部と水栓本体１４との間に空間を形成している。そしてその空間により断熱効果をもたせている。
【００７４】
次に本実施形態のカバー付き水栓の施工手順を、各要部の作用とともに以下に説明する。
本実施形態のカバー付き水栓を設置現場で設置施工する際には、先ず一対のクランク脚１６，１８を、雄ねじ管から成る管体２２を壁Ｗ裏の元配管に対しねじ込むことでそれら元配管に接続し、壁Ｗに取り付ける。
その後、予め壁Ｗから前方に退避させていた椀座３０を壁Ｗ側にねじ込んで（椀座３０の内周面には雌ねじが設けてある）、椀座３０を壁Ｗに当接させ、その椀座３０によってクランク脚１６，１８と対応する元配管との接続部を隠蔽する。
その後、図６に示しているように水栓本体１４を、一対の接続部２８において一対のクランク脚１６，１８の管体２４の端部に袋ナット２６にて接続する。
ここにおいて水栓本体１４が壁Ｗに取り付いた状態となる。
【００７５】
本実施形態においては、その後においてカバー２０を水栓本体１４に固定し、取り付けることとなる。
その際、先ず上カバー４２を、隙間カバー４６をスライド可能に保持した状態で水栓本体１４に対して上側から下向きに被せ、水栓本体１４に取り付ける。
このとき、上カバー４２の係合部１００が、図１２（Ａ）に示しているように水栓本体１４よりも前方に位置するようにして、上カバー４２を水栓本体１４に下向きに被せる。
係合部１００が水栓本体１４よりも前方に位置していないと、上カバー４２を水栓本体１４に被せる際に、係合部１００が水栓本体１４と干渉してしまうため、良好に上カバー４２を水栓本体１４に被せることができない。
【００７６】
さてこのようにして係合部１００が水栓本体１４よりも前方に位置するようにして上カバー４２を水栓本体１４に被せたとき、図１２（Ａ）に示すように上カバー４２の左右一対のリブ１２８に設けた湾曲形状のストッパ部１３４が、水栓本体１４の前面から前方に離れて位置した状態となる。
そしてリブ１２８に備えたガイド部１３６が、水栓本体１４の上面に下向きに当接し、その当接作用によって上カバー４２が隙間カバー４６とともに水栓本体１４にて支持された状態となる。
尚このとき、図１２（Ａ）に示しているように上カバー４２の固定部１１２もまた、水栓本体１４の対応する被固定部１１４に対し前方に離隔して位置した状態となる。
【００７７】
そこで次に上カバー４２を壁Ｗに向って後方に押し込む。
このとき、一対のリブ１２８のガイド部１３６が、水栓本体１４の上面への当接状態を保ちつつ、水栓本体１４に対して相対的に摺動し、そして一定量上カバー４２を押し込むと、リブ１２８に設けた湾曲形状のストッパ部１３４が、水栓本体１４の前面に当接してストッパ作用し、ここにおいて上カバー４２の押込端が規定される。即ち上カバー４２が、水栓本体１４に対して前後方向に位置決めされる（図１２（Ｂ））。
【００７８】
上カバー４２に設けた係合部１００及び固定部１１２は、上カバー４２の押込みに伴って後方に一体に移動し、そしてストッパ部１３４が水栓本体１４の前面に当って、上カバー４２が水栓本体１４に対して前後方向に位置決めされたところで、係合部１００が水栓本体１４の被係合部３６の直下に位置して、被係合部３６に対し上向きに係合する状態となり、また上カバー４２の固定部１１２が、図１２（Ｂ）に示しているように水栓本体１４の被固定部１１４の真上に位置して、被固定部１１４に対し上下に対向した状態となる。
【００７９】
そこで次に、図１３に示しているように、ビス１０８を上カバー４２の係合部１００の挿通孔１０６から、水栓本体１４の被係合部３６の雌ねじ穴３７にねじ込んで、上カバー４２を水栓本体１４に対して固定（仮固定）する。
以上のようにして上カバー４２を水栓本体１４に下向きに被せ、仮固定したら、次に図１３に示しているように下カバー４４を水栓本体１４に対して下側から上向きに被せ、水栓本体１４に固定する。
【００８０】
このときの下カバー４４の水栓本体１４への固定は次のようにして行う。
即ち、下カバー４４の円筒状の固定部１２２の下端の開口から、図１４に示しているようにビス１２０を固定部１２２内に挿入し、更に続いてビス１２０を固定部１２２の挿通孔１２６，水栓本体１４の被固定部１１４の挿通孔１１６を挿通して、上カバー４２の円筒状の固定部１１２内の雌ねじ金具１１８にねじ込む。
ここにおいて上カバー４２の固定部１１２と、下カバー４４の固定部１２２とが、水栓本体１４の被固定部１１４を上下両側から挟み込んだ状態に、それら３者がねじ締結され、固定される。
即ち上カバー４２と、水栓本体１４と、下カバー４４との３者が同時固定される。
【００８１】
ここにおいて上カバー４２の係合部１００が下カバー４４にて下側から覆われ、また水栓本体１４及び一対のクランク脚１６，１８の全体が、上カバー４２と下カバー４４とで囲い込まれた状態となり、それらが本体カバー２１の内部に隠れた状態となる。
このとき、上カバー４２と壁Ｗとの間には施工上隙間が生じる。
例えば、図１５（Ｂ），（Ｃ）に示しているようにカバー付き水栓１０を壁Ｗに取り付けるに際して、クランク脚１６，１８のねじ込み量のばらつきによって、上カバー４２と壁Ｗとの間に隙間が生じ且つその隙間の大きさも様々となる。
【００８２】
そこで次に、隙間カバー４６を壁Ｗ側にスライド移動させてその隙間を隙間カバー４６にて閉鎖する。
その作業は次のようにして行う。
即ち、下カバー４４の長穴状の開口部７０から片方の手（指）を下カバー４４の内部に挿入して、隙間カバー４６の左右中央部の被押圧部１７８を壁Ｗに向けて後向きに押し、隙間カバー４６を壁Ｗ側にスライド移動させて壁Ｗに当接させる。
尚、隙間カバー４６の壁Ｗ側へのスライド移動を、左右両端位置のリブ状の被押圧部１７６を押圧して行うこともできるが、作業上開口部７０から手を挿入して被押圧部１７８を押すことで、隙間カバー４６を移動させる方が作業が行い易い。
【００８３】
次に片方の手で隙間カバー４６を壁Ｗに押し当てた状態を保ちながら、今一方の手でドライバ等の工具を用いて隙間カバー４６を上カバー２１に対して、即ち水栓主体１５に対して固定する作業を行う。
この作業は次のようにして行う。
即ち下カバー４４の円筒状の固定部９６の下端の開口から図１１に示すボルト９０を挿入し、そしてボルト９０を固定部９６の上端の挿通孔９８及び隙間カバー４６の被固定部１５４の挿通部８８、上カバー４２の筒形状部８４における固定部１５２の挿通孔９４に上向きに挿通し、そして筒形状部８４内部のナット９２に対してねじ込むことで、隙間カバー４６が上カバー４２及び下カバー４４に対してしっかりと固定された状態となる。
【００８４】
以上のような本実施形態のカバー付き水栓１０では、クランク脚１６，１８をカバー２０の内側に隠すことができるため、クランク脚１６，１８へのメッキ処理を省くことが可能となる。
またクランク脚１６，１８に汚れが付き易かったり、またその汚れの掃除がしにくいことでクランク脚１６，１８に汚れが付いたままとなり易く、そのことが水栓の美観を悪化させる問題を解決でき、クランク脚１６，１８付きのカバー付き水栓１０の美観を高めることができる。
また湯側のクランク脚１８をカバー２０の内側に覆っておくことができるため、使用者が意図しない動きで湯側のクランク脚１８に触れてしまって熱い思いをしたり、場合によって火傷をしてしまう恐れも無くすことができる。
【００８５】
また本実施形態のカバー付き水栓１０では、水栓設置時において本体カバー２１と壁Ｗとの間に隙間が生じたとき、隙間カバー４６を壁Ｗ側にスライド移動させて壁Ｗに当接させることで、本体カバー２１と壁Ｗとの間の隙間を隠蔽することができる。
【００８６】
しかも本実施形態のカバー付き水栓１０では、その隙間カバー４６が本体カバー２１、詳しくは上カバー４２の内側に保持させてあるため、上カバー４２の壁Ｗ側の端部を外面側から隙間カバーにて覆い隙間を隠蔽する場合のように、隙間カバーが上カバー４２の外面に対して段違い形状で突出し、隙間カバーの端面が外部に現れてしまったり、或いは上カバー４２と隙間カバーとの継目が目立ったものとなってカバー付き水栓１０の美観を悪くしてしまうといった問題を生じず、カバー付き水栓１０を良好な美観で壁Ｗに設置施工することができる。また設置状態においてカバー付き水栓１０の品位を高めることができる。
【００８７】
また本実施形態では、隙間カバー４６が上面カバー部４８側の位置で上カバー４２に固定してあって、回転の支点となる隙間カバー４６の固定個所が上面カバー部４８に近い位置であるため、隙間カバー４６が上カバー４２に対し相対的に回転したとき、上カバー４２の上面カバー部４８に対する隙間カバー４６の上面の傾きを小さく抑制でき、また隙間カバー４６と壁Ｗとの間に隙間が生じるのを防ぐことができる。或いは隙間を可及的に小さくすることができる。これによりカバー付き水栓１０設置状態の美観を良好とすることができる。
【００８８】
更に本実施形態では、上カバー４２に左右一対の側面カバー部５２を備えて、それら一対の側面カバー部５２のそれぞれの内面に係合部１５８を設け、また隙間カバー４６には対応する位置に被係合部１６０を設けて、それら係合部１５８と被係合部１６０との係合により、一対の側面カバー部５２を左右方向に拘束しているため、成形の際に一対の側面カバー部５２が開く方向に上カバー４２が反り変形するのを抑制でき、成形時の条件の如何に拘らず上カバー４２を良好な形状に保持することができる。
そしてこれによりカバー付き水栓１０設置状態の美観を良好に保持することができる。
【００８９】
更に本実施形態は、隙間カバー４６に、壁Ｗに沿った方向に延びる被押圧部１７８を設けるとともに、下カバー４４の下面カバー部６０に開口部７０が設けてあるため、その開口部７０から指などを挿入して被押圧部１７８を壁に向けて押圧し、隙間カバー４６を壁Ｗに押し当てるようになすことができる。
従って片方の手（指）で開口部７０を通じ被押圧部１７８を押して隙間カバー４６を壁Ｗに押し当てた状態で、もう片方の手で固定作業を行う際の作業がし易くなり、固定作業中に隙間カバー４６が壁Ｗから部分的に離れてしまって、壁Ｗとの間に隙間を生じてしまった状態で隙間カバー４６を固定してしまうといったことを防ぐことができる。
【００９０】
更に本実施形態では、隙間カバー４６に抜け防止用の爪１７０を、上カバー４２に爪１７０を抜け方向に掛止させる掛止部１７４を設けていることから、設置現場でカバー付き水栓１０を壁Ｗに設置施工する際、上カバー４２の内側にスライド可能に保持させた隙間カバー４６が脱落してしまい、作業が行いづらかったり、或いはその脱落によって隙間カバー４６が傷付いてしまったりするのを防ぐことができ、施工の作業性を良くすることができるとともに、脱落による隙間カバー４６の傷付きを防ぐことができる。
【００９１】
次に図１６〜図２０は本発明の他の実施形態を示している。
この実施形態のカバー付き水栓１０もまたクランク脚付きのもので、水側及び湯側の一対のクランク脚１６，１８と、クランク脚１６，１８を介して壁Ｗに固定される水栓本体１４と、一対のクランク脚１６，１８ごと水栓本体１４を囲い込むカバー２０とを有し、またカバー２０が、上カバー４２と下カバー４４とを有する本体カバー２１と隙間カバー４６とで構成され、更にクランク脚１６，１８，水栓本体１４，本体カバー２１とを含んで水栓主体１５が構成されている点で上記実施形態と同様である。
また水栓本体１４として、上記実施形態と同じものが共通に用いられている。
但しこの実施形態では、カバー２０を水栓本体１４に固定するための、補強部材を兼ねた金属製の剛性のブラケット２００を有し、そのブラケット２００を含んで水栓主体１５が構成されている点で上記実施形態と異なる。
【００９２】
ブラケット２００は、図１９に示すように左右方向の離隔した位置に一対の固定機能部２０２を有している。
一対の固定機能部２０２のそれぞれは、水栓本体１４の被固定部１１４に固定される水栓本体側の固定部２０４を有しており、更にこれから左右方向外方に離隔した位置において、上カバー４２，下カバー４４及び隙間カバー４６を固定するためのカバー側の固定部２０６を有している。
そしてそれぞれに、固定具としてのボルト等を挿通する挿通孔２１０及び雌ねじ孔２０８，２１２が設けられている。
更に隙間カバー４６側の後述の爪１７０を前後方向に移動可能に挿入させ、且つこれを掛止させる長穴状の掛止孔（掛止部）２１４と、更に同じく隙間カバー４６側の後述のスライド部２３６を下側から支持してこれをスライド可能に保持するスライド保持部２１６が設けられている。
ブラケット２００は、これら一対の固定機能部２０２を連結部２１３で左右方向に連結した形態の一体構造体をなしている。
【００９３】
この実施形態において、ブラケット２００は水栓本体１４側の固定部２０４において水栓本体１４に固定され、水栓本体１４にて保持される。
カバー側の固定部２０６においては、上カバー４２及び下カバー４４が、即ち本体カバー２１が次のようにして固定される。
詳しくは、図２０に示しているように挿通孔２１０に対してボルト２１８が上向きに挿通され、そして上カバー４２の固定部２２０の内側に保持されたナット２２２に対してボルト２１８がねじ込まれることで、上カバー４２がブラケット２００の固定部２０６に固定される。
また挿通孔２１０の後側位置において、ビス２２８が下カバー４４の固定部２２４に設けられた挿通孔２２６を挿通して、固定部２０６の雌ねじ孔２１２にねじ込まれることで、下カバー４４がブラケット２００の固定部２０６に固定される。
【００９４】
図１９に示すように、上記隙間カバー４６は左右方向に細長い形状のもので、上面閉鎖部７８と左右一対の側面閉鎖部８０とを有しており、更にそれら上面閉鎖部７８と側面閉鎖部８０とを前端側で連結する板状の前面部２３０を有している。
そしてこの前面部２３０の左右両端部から、被固定部１５４が前方に突出せしめられている。
この被固定部１５４には、図１９の部分拡大図で示すように前後方向に長穴形状をなす挿通孔２３２が設けられており、更に前方に突出する向きで弾性片１６８が設けられて、その先端部に爪１７０が設けられている。
更に上向きの立上り部２３４に、前後方向に延びるスライド部２３６が設けられている。
このスライド部２３６の下側には溝２３８が形成されている。
【００９５】
この隙間カバー４６は、次のようにしてブラケット２００の固定部２０６に固定される。
即ち、隙間カバー４６の被固定部１５４を、ブラケット２００の固定部２０６と下カバー４４の固定部２２４との間に挟み込んだ状態で、図２０に示す上記のビス２２８を、固定部２２４の挿通孔２２６及び隙間カバー４６の被固定部１５４の長穴状の挿通孔２３２に挿通して、ブラケット２００の雌ねじ孔２１２にねじ込むことで、かかる隙間カバー４６が被固定部１５４においてブラケット２００の固定部２０６に固定される。
尚、ビス２２８を緩めた状態では隙間カバー４６は前後方向にスライド可能である。
【００９６】
この実施形態では、隙間カバー４６が上カバー４２の上面カバー部４８側で水栓主体１５、詳しくはブラケット２００に対して固定されていないが、隙間カバー４６の被固定部１５４及びブラケット２００の固定部２０６を、図２０に示す位置よりも上面カバー部４８に近い上側に設けておくことで、隙間カバー４６を上面カバー部４８側でブラケット２００に固定するようになすこともできる。
【００９７】
上記のように被固定部１５４には、前後方向に延びるリブ状のスライド部２３６が設けられていて、その下側の溝２３８にブラケット２００における固定部２０６のスライド保持部２１６が挿入せしめられ、そのスライド保持部２１６によってスライド部２３６が、即ち隙間カバー４６が前後方向にスライド可能に保持されている。
尚この実施形態では、隙間カバー４６の前面部２３０が被押圧部として構成されている。
【００９８】
従ってこの実施形態では、図１８に示す下カバー４４の長穴状の開口部７０を通じて下カバー４４の内部に手（指）を挿入し、そしてその手で隙間カバー４６の前面部２３０を後方に押すことで、隙間カバー４６をブラケット２００に対して、即ち水栓主体１５に対して後方にスライド移動させることができる。
そして隙間カバー４６を壁Ｗに押し当てた状態で、今一方の手を用いてビス２２８により隙間カバー４６を被固定部１５４においてブラケット２００の固定部２０６に固定作業することができる。
【００９９】
以上本発明の実施形態を詳述したがこれはあくまで一例示である。
例えば本発明は下カバーを省略して上カバー単独で本体カバーを構成したり、或いは下カバーを設ける場合において、下カバーの側に前面カバー部，側面カバー部の一部を形成したり、或いは前面カバー部，側面カバー部の全体を下カバーに形成し、上カバーをその上面を閉じる蓋カバーとして構成するといったことも可能である等、本発明はその趣旨を逸脱しない範囲において種々変更を加えた形態で構成可能である。
【符号の説明】
【０１００】
１０  カバー付き水栓
１４  水栓本体
１５  水栓主体
１６，１８  クランク脚
２０  カバー
２１  本体カバー
４６  隙間カバー
４８  上面カバー部
５２  側面カバー部
６０  下面カバー部
６８，７０  開口部
８４  筒形状部
８６，２３６  スライド部
１５０，２１６  スライド保持部
１５２，２０６  固定部
１５４  被固定部
１５８  係合片（係合部）
１６０  被係合部
１７０  爪
１７４  掛止部
１７６，１７８  被押圧部
２１４  掛止孔（掛止部）
２３０  前面部（被押圧部）
【図１】
0005982658.tif 000002
【図２】
0005982658.tif 000003
【図３】
0005982658.tif 000004
【図４】
0005982658.tif 000005
【図５】
0005982658.tif 000006
【図６】
0005982658.tif 000007
【図７】
0005982658.tif 000008
【図８】
0005982658.tif 000009
【図９】
0005982658.tif 000010
【図１０】
0005982658.tif 000011
【図１１】
0005982658.tif 000012
【図１２】
0005982658.tif 000013
【図１３】
0005982658.tif 000014
【図１４】
0005982658.tif 000015
【図１５】
0005982658.tif 000016
【図１６】
0005982658.tif 000017
【図１７】
0005982658.tif 000018
【図１８】
0005982658.tif 000019
【図１９】
0005982658.tif 000020
【図２０】
0005982658.tif 000021